(57)【要約】【課題】プラスチックフイルムからなる袋体を外袋とした収容物の収容において、その収容物の保護と積み重ねの収容が可能な収納手段を提供する。【解決手段】プラスチックフイルムからなる袋体の内部に、所定形状に打ち抜かれた板紙を組立可能に構成した箱体として収容し、収容物の保護と積み重ねの収納を可能とする収納箱とする。【選択図】図１
2004224419.tif 000002
【特許請求の範囲】
【請求項１】
プラスチックフイルムからなる袋体の内部に、所定形状に打ちぬかれた板紙を組立可能に構成した箱体として収容することにより、袋体を外袋とした収納ユニットとすることを特徴とする組立式板紙収納箱。
【請求項２】
上記構成した箱体の天面に上蓋として用いる板紙には、袋体の開口部を収容するための透孔部を持つことを特徴とする請求項１記載の組立式板紙収納箱。
【請求項３】
上記構成した箱体の接合部には、分解と再構成を可能とするマジックテープ（登録商標）等の再剥離可能な接合材を使用することを特徴とする請求項１〜４のいずれか１項に記載の組立式板紙収納箱。
【請求項４】
上記板紙の外面となる面には、印刷等により美観に配慮した色彩及び図案を配置して意匠性を向上させることを特徴とする請求項１〜３のいずれか１項に記載の組立式板紙収納箱。
【発明の詳細な説明】
【０００１】
【発明の属する技術分野】
本発明は、プラスチックフイルムからなる袋体を外袋として収納ユニットとする組立式板紙収納箱に関する。
【０００２】
【従来の技術】
従来の、プラスチックフイルムからなる袋体を収納目的で使用する利点は、内部が見えて収容物が確認できること、袋体であるために収容が容易なこと、身近にあるために利用しやすいこと、安価なことである。この袋体を収容目的で使用する場合は、単に収容物を収容して袋体の開口部である口元を結ぶか、又は接着テープ等で塞いで保管することが一般的に広く行われている。
【０００３】
【発明が解決しようとする課題】
しかしながら、上記したように、収容手段として多くの利点を持ち広く使用されているが、衣類等の軟質な収容物や雑多で複雑な形状の収容物の収容では、内容物の自重と外部の圧迫から変形を生じることがあり、袋体がフイルム状で軟質のため積み重ねが困難なことで効率の良い収容手段とはなっていない。また、プラスチック製品等の収納容器ではコストがかかり不使用時の保存と処分にも問題が多い。
【０００４】
そこで本発明は、収容目的で使用するプラスチックフイルムからなる袋体の多くの利点を活かして上記の問題を解消して収納ユニットとなる収納箱を提供することを目的としている。
【０００５】
【課題を解決するための手段】
上記の目的を達成するために、本発明はプラスチックフイルムからなる袋体の内部に、所定形状に打ちぬかれた板紙を組立可能に構成した箱体として収容することにより、袋体を外袋とした収納ユニットとする組立式板紙収納箱である。こうすることで、袋体は、安定した形状を保って収容物を保護し、積み重ねの収容を可能とするためである。
【０００６】
このように構成された本発明においては、構成した箱体の天面に上蓋として用いる板紙には、袋体の開口部を収容するための透孔部を持っても良い。また、本発明においては、構成した箱体の接合部に分解と再構成を可能とするマジックテープ（登録商標）等の再剥離可能な接合材を使用しても良い。さらに、本発明においては、板紙の外面となる面には、印刷等により美観に配慮した色彩及び図案を配置して意匠性を向上させても良い。これは、袋体及び構成した箱体の再使用及び再利用を目的とし、さらに、使用上の付加価値を高めるためのものである。
【０００７】
【発明の実施の形態】
以下、本発明の一実施例を図面に基づいて説明するが、本発明はこれらに限定されるものではない。
【０００８】
先ず、図１乃至図４により、本発明の一実施例である組立式板紙収納箱の概要を説明する。図１は、本発明の一実施例を示す板紙１及び蓋板紙２を箱体として形成し袋体１４に収容して収納箱とした斜視図である。図２は、板紙１及び蓋板紙２を形成して箱体とする過程を示す斜視図である。図３は、上蓋として用いる蓋板紙３の平面図である。図４は、箱体となる板紙１の平面図である。
【０００９】
板紙１は、例えば、再生紙等を使用し製造コストの低減を図るものであって、古紙名称で分類されるケント、切り茶、上台紙、ボール等から作られる適当な強度を持つものである。
【００１０】
また、板紙１は、図４のように、単純な長方形の形状であり、これに、箱体を形成するための切断部１５とプレス加工等よる折り曲げを可能とする折り目５のあるものである。
【００１１】
そして、この折り目５を図２のように、底面８と取手１１のある側面６を折り目５に沿って折り曲げるように、他の側面６を同様に折り曲げて組みたて、両面接着テープ９等で相対する側面６の接合部１６を接合して底面８と側面６を固定する。
【００１２】
さらに、形状の安定と積み重ねのための荷重受けとして、図２のように、蓋受けとなる側面上部７を同様に折り曲げ両面接着テープ９等で相対する側面６の接合部１６を接合して固定し、箱体を形成する。
【００１３】
蓋板紙２は、図２のように、差しこみ部３の二辺を折り目６に沿って折り曲げて、板紙１を形成して箱体とした側板上部７の係合部スリット４に挿入することで上蓋となり安定した箱体を形成して収納箱となる。
【００１４】
また、蓋板紙２は、図３のように、外袋として使用する袋体１４の開口部を収容するために、中央に指の入る程度の巾の透孔部１０を持つものである。これは、袋体の開口部を透孔部１０に収容することで従来の結ぶという機能を代用し結び目の段差をなくして積み重ねの安定に配慮しているためである。こうすることで、開閉手間の利便が図られ袋体の再使用ができ、さらに、再剥離テープ等を貼りつければ内部の簡易的な密閉も可能となり衣類収容の際の防虫剤等を内封した場合の臭いモレの防止となるためである。
【００１５】
プラスチックフイルムからなる袋体１４は、ポリエチレン、ポリプロピレン、ポリスチレン等の合成樹脂からなり、透明色、半透明色、不透明色等あるが、本発明の袋体１４は、全てを含むものである。
【００１６】
また、側板の取手１１は、収納箱の移動と運搬時の利便に配慮しているため取りつけることが好ましい。
【００１７】
さらに、底面８の四方かどのコーナー１２は、袋体１４の破損を予防するためのものであり、内容物表示シール１３は、利用者の利便にかなうものであるため別添えとすることが好ましい。
【００１８】
尚、形成した箱体は、図２のように、袋体１４に収容して収納箱となるが、箱体が組立式のため、どの時点でも収容が可能であるため、どの時点で収容物を箱体の内側へ収容するかは、使用者の判断で決めることが好ましい。
【００１９】
本発明の実施例の一形態では、プラスチックフイルムからなる袋体１４の内部に、板紙１及び蓋板紙２を構成して箱体とした収納箱を収容することにより、袋体１４を外袋とする収納ユニットとすることができる。こうすることで、袋体１４は、安定した形状を保つ外袋となって収容物を保護し、箱状の形態を維持した収納箱となり積み重ねの収容を可能とする。
【００２０】
また、図１の実施例では、形成された箱体の側面６は二面のみで他の二面の側面は外袋となる袋体１４のみである。これは、透視性のある袋体１４を外袋とした場合、収納箱の内側の収容物が見られるための配慮であるが、別添えの板紙でその二面を保護して側面四面全てを保護したものであれば、収容物の保護機能が増大される。
【００２１】
さらに、図４の実施例では、板紙１は、取手１１のある側面６の二面を形成して箱体となるが、完全に側面６が四方箱体となる板紙１であれば、さらに強固な箱体となるため多段の積み重ねを可能とし、収容物の保護機能が増大される。
【００２２】
また、図２の実施例では、蓋板紙２は、板紙１を形成した箱体と組み合わされて収納箱となるが、蓋板紙２が側面上部７に連接されたものであれば一体として上蓋を形成した収納箱となり便利である。
【００２３】
尚、構成した箱体の天面に上蓋として用いる板紙には、袋体の開口部を収容して積み重ねを容易とする透孔部１０を持っても良い。これは、従来の袋体１４の開口部を結ぶ機能の代用でありこれにより結び目の段差をなくすことができるためである。
【００２４】
また、構成した箱体の接合部１６には、分解と再構成を可能とするマジックテープ（登録商標）等の再剥離可能な接合材を使用しても良い。これにより、再使用が可能となり保管と処分が容易となるためである。
【００２５】
さらに、収納箱となる板紙１の外面となる面には、印刷等により美観に配慮した色彩及び図案を配置して意匠性を向上させても良い。このことで、付加価値が高まり、視覚的にも環境に配慮したものとなるためである。
【００２６】
【発明の効果】
以上説明したように、本発明によれば、プラスチックフイルムからなる袋体の内部に所定形状に打ち抜かれた板紙を組みたて可能に構成した箱体として収容することで袋体を外袋とした収納ユニットとなり、収容物を保護して積み重ねができるため収納スペースの有効利用に役立ち便利である。
【００２７】
また、プラスチック製品等の収納容器では処分や保管がしづらい面があるが、紙製で組立式のため、一般ごみとして処分ができ、再使用ができて経済的であり、非常に有効な収納手段となる。
【００２８】
さらに、不用の際は、収集用のごみ袋等に収容すればごみ容器となって再利用ができ、そのまま処分できるので便利である。
【図面の簡単な説明】
【図１】本発明の一実施例を示す板紙１及び蓋板紙２を箱体として形成し袋体１４に収容して収納箱とした斜視図である。
【図２】本発明の一実施例を示す板紙１及び蓋板紙２を形成して箱体とする過程を示す斜視図である。
【図３】本発明の一実施例を示す上蓋として用いる蓋板紙３の平面図である。
【図４】本発明の一実施例を示す箱体となる板紙１の平面図である。
【図５】従来の技術を示す袋体に収容された収容物の形状である。
【符号の説明】
１  板紙
２  蓋板紙
３  さし込み部
４  係合部スリット
５  折り目
６  側面
７  側面上部
８  底面
９  両面接着テープ
１０  透孔部
１１  取手
１２  コーナー
１３  内容物表示シール
１４  プラスチックフイルムからなる袋体
１５  切断部
１６  接合部
【図１】
2004224419.tif 000003
【図２】
2004224419.tif 000004
【図３】
2004224419.tif 000005
【図４】
2004224419.tif 000006
【図５】
2004224419.tif 000007